(57)【要約】  両側のそれぞれには位置決めステーション（１１）とフィルム貼着ステーション（１２）が設けられた基台（１）と、位置決めステーション（１１）の一端に設けられ、電子機器の位置をロックするための位置決めベース（２）と、フィルム貼着ステーション（１２）の一端に設けられ、貼着フィルムの位置をロックするための貼着フィルム固定ベース（３）と、位置決めベース（２）を位置決めステーション（１１）とフィルム貼着ステーション（１２）で往復摺動させ、電子機器とシートを合わせるための搬送手段（４）と、フィルム貼着ステーション（１２）の一端に設けられ、離型層とシートを分離するためのフィルム分離手段（５）とを備える携帯型フィルム貼着装置。該携帯型フィルム貼着装置は、電子機器と貼着フィルムとをそれぞれ位置決めベースと貼着フィルム固定ベースにセットし、搬送手段で１回往復摺動させると、フィルム貼着を完了できる。【選択図】図２
2021529993.tif 000002
【特許請求の範囲】
【請求項１】
両側のそれぞれには位置決めステーションとフィルム貼着ステーションが設けられた基台と、
前記位置決めステーションの一端に設けられ、電子機器の位置をロックするための位置決めベースと、
前記フィルム貼着ステーションの一端に設けられ、貼着フィルムの位置をロックするための貼着フィルム固定ベースと、
前記位置決めベースを前記位置決めステーションと前記フィルム貼着ステーションで往復摺動させ、前記電子機器とシートを合わせるための搬送手段と、
前記フィルム貼着ステーションの一端に設けられ、離型層と前記シートを分離するためのフィルム分離手段と、を備える、ことを特徴とする携帯型フィルム貼着装置。
【請求項２】
前記フィルム分離手段は、前記搬送手段の下方に設けられ、フィルム分離ベースを備え、前記フィルム分離ベースの表面の前記位置決めステーションを向く一端には接続マークと嵌合するフックが凸設され、前記フィルム分離ベースには前記離型層のサイズに合わせる収容室が開けられる、ことを特徴とする請求項１に記載の携帯型フィルム貼着装置。
【請求項３】
前記基台は、前記フィルム貼着ステーションの一端には、前記フィルム分離ベースが前記基台に出入りする排出チャンネルが開けられ、前記フィルム分離ベースの前記位置決めステーションを向く一端には、前記フィルム分離ベースを前記排出チャンネルに対して固定又は退避させるためのバックルユニットが接続される、ことを特徴とする請求項２に記載の携帯型フィルム貼着装置。
【請求項４】
前記電子機器の表面の埃を除去する除塵ローラをさらに備え、前記除塵ローラは、前記位置決めステーションと前記フィルム貼着ステーションとの接合部位に架設され、前記基台と嵌合する部位には、前記除塵ローラを上下に弾性的に調整する第１の弾性部品が設けられる、ことを特徴とする請求項１に記載の携帯型フィルム貼着装置。
【請求項５】
前記除塵ローラの上方には、それの上下部に当接して嵌合する副除塵ローラが架設され、前記副除塵ローラの表面粘度が前記除塵ローラの表面粘度よりも大きい、ことを特徴とする請求項４に記載の携帯型フィルム貼着装置。
【請求項６】
前記貼着フィルム固定ベースは、前記基台に架設された位置決めフレームを備え、前記位置決めフレームの中央部にはプロセススロットが貫通して設けられ、前記位置決めフレームには、前記貼着フィルムを前記プロセススロットの上方に固定するためのボスが対称的に設けられる、ことを特徴とする請求項１に記載の携帯型フィルム貼着装置。
【請求項７】
前記位置決めフレームには、保護層とシートを分離するためのシート分離装置がさらに設けられる、ことを特徴とする請求項６に記載の携帯型フィルム貼着装置。
【請求項８】
前記搬送手段は、前記基台の内側に設けられ、前記位置決めステーションと前記フィルム貼着ステーションを連通させるガイドレールを備え、前記ガイドレールには、前記位置決めベースに接続されたスライダベースがスライド可能に設けられる、ことを特徴とする請求項１に記載の携帯型フィルム貼着装置。
【請求項９】
前記位置決めベースには、前記電子機器を収納するための位置決めキャビティが凹設され、前記位置決めキャビティの前記フィルム貼着ステーションから離れた一端には、さまざまなタイプの電子機器を固定するためにストッパーがスライド可能に設けられる、ことを特徴とする請求項１に記載の携帯型フィルム貼着装置。
【請求項１０】
前記位置決めベースの前記フィルム貼着ステーションから離れた一端には押しハンドルが接続される、ことを特徴とする請求項１〜９のいずれか一項に記載の携帯型フィルム貼着装置。
【発明の詳細な説明】
【技術分野】
【０００１】
本発明は、電子機器へのフィルム貼着設備の技術分野に関し、具体的には、自動位置合わせ可能な携帯型フィルム貼着装置に関する。
【背景技術】
【０００２】
現代社会では、電子機器が普及されており、このようなスマート電子機器は通常スクリーンを有し、スクリーンにはタッチ機能を有するのが一般的であり、指の導電特性を通じて、スクリーン上にボタンをタッチすることにより、連絡先に電話したりメニューをタッチして情報を取得したりする。頻繁なタッチや外力による摩擦や衝撃によりスクリーン表面が擦り傷を受けることを回避するために、スクリーンにフィルムを貼着する必要がある。貼着フィルムは、一般には、片面に接着剤が粘着されたシートと、シートの粘着端に貼り合せられた離型層と、シートの他端に貼り合せられた保護層とを有する。さらに、離型層又は保護層に貼着フィルムを位置決めする機能を有する接続マークが増設された貼着フィルムもある。現在、フィルム貼着方法は、すべて手動で位置決めして貼着するものであり、フィルムを貼着する操作者への操作要件が高く、作業効率が低く、フィルム貼着効果が確保されにくく、フィルムが正しく貼着されなかったり気泡が生じたり異物が付着したりするなどにより、貼着フィルムが廃棄されてしまう。手動でフィルムを貼着する際に、まず、スクリーンを除塵し、次に、離型層を剥がしてシートとスクリーンとを位置合わせし、シートの貼り合せ面をスクリーンに被覆して貼り合せ、最後に、保護層を剥がす必要があり、この一連の操作工程では、空気中の埃がスクリーン又はシート貼り合せ面に付着されやすく、その結果、フィルムの貼着効果が劣化し、且つ、手動でフィルムを貼着する場合、軸方向に沿ってフィルムをスクリーンに徐々に貼着して被覆する必要があるので、操作が複雑であり、技術への要求が高い。
【発明の概要】
【発明が解決しようとする課題】
【０００３】
従来技術に存在する問題に対して、本発明の目的は、フィルムの貼着効率が高く、フィルムを貼着する際の位置決めが正確であり、フィルム貼着効果がよく、且つ操作されやすく、複数の電子機器に適用できる携帯型フィルム貼着装置を提供することである。
【課題を解決するための手段】
【０００４】
本発明が採用する技術案は、以下のとおりである。
【０００５】
携帯型フィルム貼着装置であって、両側のそれぞれには位置決めステーションとフィルム貼着ステーションが設けられた基台と、前記位置決めステーションの一端に設けられ、電子機器の位置をロックするための位置決めベースと、前記フィルム貼着ステーションの一端に設けられ、貼着フィルムの位置をロックするための貼着フィルム固定ベースと、前記位置決めベースを前記位置決めステーションと前記フィルム貼着ステーションで往復摺動させ、前記電子機器とシートを合わせるための搬送手段と、前記フィルム貼着ステーションの一端に設けられ、離型層と前記シートを分離するためのフィルム分離手段と、を備える。フィルム貼着操作は以下のとおりである。電子機器を位置決めベースにセットし、貼着フィルムを貼着フィルム固定ベースにセットし、そして搬送手段を押して電子機器を位置決めステーションからフィルム貼着ステーションに搬送し、この過程において、フィルム分離手段により離型層とシートを分離し、そして押圧することでシートを電子機器に貼り合せ、搬送手段はさらに電子機器をフィルム貼着ステーションから位置決めステーションに搬送し、この過程において、保護層とシートが分離し、最後に、電子機器を取り出すと、フィルム貼着は完了する。操作されやすく、フィルム貼着効率が高く、貼着フィルムの位置決めが正確であり、フィルム貼着効果が良好である。
【０００６】
上記技術案のさらなる改良として、前記フィルム分離手段は、前記搬送手段の下方に設けられ、フィルム分離ベースを備え、前記フィルム分離ベースの表面の前記位置決めステーションを向く一端には接続マークと嵌合するフックが凸設され、離型層とシートはフックの作用により離脱し、前記フィルム分離ベースには前記離型層のサイズに合わせる収容室が開けられ、このように、離脱した離型層を簡便に収納することができる。
【０００７】
上記技術案のさらなる改良として、前記基台は、前記フィルム貼着ステーションの一端には、前記フィルム分離ベースが前記基台に出入りする排出チャンネルが開けられ、このように、収容室内に収納された離型層を簡便に取り出すことができる。前記排出チャンネルの両側のそれぞれには、複数のガイドローラが嵌設され、前記フィルム分離ベースは前記ガイドローラと滑り嵌めし、前記フィルム分離ベースの前記位置決めステーションを向く一端には、前記フィルム分離ベースを前記排出チャンネルに対して固定又は退避させるためのバックルユニットが接続され、それにより、離型層とシートを順調に分離でき、また離型層を簡便に取り出すこともでき、簡便に操作できる。
【０００８】
好ましくは、前記ガイドローラの表面にはＵ字形溝が開けられ、前記フィルム分離ベースの両側にはＵ字形構造のリブが設けられ、それにより、フィルム分離ベースはよりスムーズにスライドできる。
【０００９】
上記技術案のさらなる改良として、前記フィルム貼着装置は、前記電子機器の表面の埃を除去する除塵ローラをさらに備え、前記除塵ローラは、前記位置決めステーションと前記フィルム貼着ステーションとの接合部位に架設され、フィルムを貼着するに先立って電子機器へのフィルム貼着部位での埃を除去し、前記基台と嵌合する部位には、前記除塵ローラを上下に弾性的に調整する第１の弾性部品が設けられ、それにより、除塵ローラが各種サイズのタイプの電子機器に適用することを可能とし、且つ電子機器の表面に対する除塵ローラの摩擦力を増大し、除塵効果を向上させる。
【００１０】
上記技術案のさらなる改良として、前記除塵ローラの上方には、それの上下部に当接して嵌合する副除塵ローラが架設され、前記副除塵ローラの表面粘度が前記除塵ローラの表面粘度よりも大きく、それにより、除塵ローラの表面に吸着させた埃が副除塵ローラの表面に移され、除塵ローラの除塵効果がさらに高まり、使用寿命が長くなる。
【００１１】
上記技術案のさらなる改良として、前記貼着フィルム固定ベースは、前記基台に架設された位置決めフレームを備え、前記位置決めフレームの中央部にはプロセススロットが貫通して設けられ、前記位置決めフレームには、前記貼着フィルムを前記プロセススロットの上方に固定するためのボスが対称的に設けられ、それにより、貼着フィルムと電子機器のフィルム貼着位置とをより正確に合わせる。
【００１２】
上記技術案のさらなる改良として、前記位置決めフレームには、保護層とシートを分離するためのシート分離装置がさらに設けられ、前記位置決めフレームにはシュートが開けられ、前記シート分離装置は、前記シュートに嵌設されたプーリー群と、前記保護層に当接するシート分離ブレードと、シート分離ブレードに接続された押しレバーとを含み、使用する際に手動で押しレバーを制御してシート分離ブレードが保護層の表面を通過するようにし、それにより、シートと電子機器との接続をより強固にし、また保護層とシートとの分離を簡便にする。
【００１３】
上記技術案のさらなる改良として、前記搬送手段は、前記基台の内側に設けられ、前記位置決めステーションと前記フィルム貼着ステーションを連通させるガイドレールを備え、前記ガイドレールには、前記位置決めベースに接続されたスライダベースがスライド可能に設けられ、それにより、搬送手段の作動をより安定的かつ精度よくする。
【００１４】
上記技術案のさらなる改良として、前記スライダベースは前記位置決めベースと一体に成形され、前記位置決めベースには、前記電子機器を収納するための位置決めキャビティが凹設され、前記位置決めキャビティの前記フィルム貼着ステーションから離れた一端には、さまざまなタイプの電子機器を固定するためにストッパーがスライド可能に設けられ、このため、汎用性が高く、且つ簡便に取り扱うことができる。前記スライダベースと前記位置決めベースは取り外し可能に接続されてもよく、この場合、異なる位置決めベースを交換することで、様々なタイプの電子機器に適用できる。
【００１５】
好ましくは、前記ストッパーは、止めアームと、止めアームに接続され、位置決めベースと滑り嵌めするストッパーベースと、ストッパーベースと前記位置決めベースを接続して、止めアームを弾性的に復位させる第２の弾性部品とを含み、前記ストッパーベースの両側にはローラが設けられ、前記位置決めベースでは、前記ローラと嵌合する部位には位置決め溝が開けられる。
【００１６】
好ましくは、前記止めアームには、移動しやすい引きハンドルが接続され、前記位置決めキャビティの前記引きハンドルから離れた一端にはプロセス凹部が設けられ、それにより、ケース部分の位置に凸起がある電子機器に適用できる。
【００１７】
上記技術案のさらなる改良として、前記ガイドレールは、「Ｖ」字形構造をしており、それぞれ前記基台の両側に沿って配置され、前記スライダベースの両側のそれぞれには取り付け溝が開けられ、前記取り付け溝内には、前記ガイドレールと滑り嵌めする軸受けが嵌設され、それにより、搬送手段の嵌合精度が高くなり、フィルム貼着効果がより良好である。
【００１８】
好ましくは、前記取り付け溝は、軸受けが抜けないように、前記軸受けの両端のそれぞれにはファスナーが設けられ、それにより、構造がより安定的になる。
【００１９】
上記技術案のさらなる改良として、前記位置決めベースの前記フィルム貼着ステーションから離れた一端には押しハンドルが接続され、それにより、より簡便に操作でき、搬送手段を位置決めステーションとフィルム貼着ステーションで往復摺動させるという制御を容易に実施できる。
【発明の効果】
【００２０】
本発明の有益な効果は以下のとおりである。従来技術に比べて、本発明による携帯型フィルム貼着装置は、両側のそれぞれには位置決めステーションとフィルム貼着ステーションが設けられた基台と、前記位置決めステーションの一端に設けられ、電子機器の位置をロックするための位置決めベースと、前記フィルム貼着ステーションの一端に設けられ、貼着フィルムの位置をロックするための貼着フィルム固定ベースと、前記位置決めベースを前記位置決めステーションと前記フィルム貼着ステーションで往復摺動させ、前記電子機器とシートを合わせるための搬送手段と、前記フィルム貼着ステーションの一端に設けられ、離型層と前記シートを分離するためのフィルム分離手段と、を備える。本発明は、電子機器と貼着フィルムをそれぞれ位置決めベースと貼着フィルム固定ベースにセットし、搬送手段を用いて１回往復摺動させれば、フィルム貼着は完了し、このため、操作されやすく、フィルム貼着効率が高く、貼着フィルムの位置決めが正確であり、フィルム貼着効果が良好である。
【図面の簡単な説明】
【００２１】
本発明の実施例の技術案をより明確に説明するために、以下、実施例の説明に必要な図面を簡単に説明し、以下の説明における図面は本発明の実施例の一部に過ぎず、当業者であれば、創造的な努力を必要とせずに、これらの図面に基づいて他の図面を得ることができる。
以下、図面及び実施例にて本発明をさらに説明する。
【図１】図１は本発明の携帯型フィルム貼着装置の実施例の構造模式図である。
【図２】図２は図１の分解図である。
【図３】図３は図２における貼着フィルム固定ベース、シート分離装置、除塵ローラ、及び副除塵ローラの構造拡大図である。
【図４】図４は図２における位置決めベースとスライダベースの構造拡大図である。
【図５】図５は図２におけるフィルム分離ベースの構造拡大図である。
【符号の説明】
【００２２】
１、基台；２、位置決めベース；３、貼着フィルム固定ベース；  ４、搬送手段；５、フィルム分離手段；１１、位置決めステーション；１２、フィルム貼着ステーション；５１、フィルム分離ベース；５１１、フック；５１２、収容室；１３、排出チャンネル；１３１、ガイドローラ；５２、バックルユニット；５２１、ボールヘッド；５２２、スナップ；１３１１、Ｕ字形溝；５１３、リブ；６、除塵ローラ；６１、第１の弾性部品；７、副除塵ローラ；８、盖体；３１、位置決めフレーム；３１１、プロセススロット；３１２、ボス；９、シート分離装置；３１３、シュート；９１、プーリー群；９２、シート分離ブレード；９３、押しレバー；４１、ガイドレール；４２、スライダベース；２１、位置決めキャビティ；２２、ストッパー；２２２、ストッパーベース；２２１、止めアーム；２２３、第２の弾性部品；２２２１、ローラ；２３、位置決め溝；２２１１、引きハンドル；２１１、プロセス凹部；４２１、取り付け溝；４２１１、ファスナー；２４、押しハンドル；１４、止めブロック。
【発明を実施するための形態】
【００２３】
以下、本発明の実施例の図面を参照しながら、本発明の実施例の技術案を明確かつ完全に説明するが、明らかなように、説明する実施例は本発明の実施例の一部に過ぎず、すべての実施例ではない。本発明の実施例に基づいて、当業者が創造的な努力を必要とせずに得る他のすべての実施例は、本発明の特許範囲に属する。
【００２４】
図１〜図５に示すように、本実施例における携帯型フィルム貼着装置は、基台１、位置決めベース２、貼着フィルム固定ベース３、搬送手段４、及びフィルム分離手段５を備え、基台１の両側のそれぞれには、位置決めステーション１１とフィルム貼着ステーション１２が設けられ、位置決めベース２は、位置決めステーション１１の一端に設けられ、電子機器の位置をロックすることに用いられ、貼着フィルム固定ベース３はフィルム貼着ステーション１２の一端に設けられ、貼着フィルムの位置をロックすることに用いられ、搬送手段４は、位置決めベース２を位置決めステーション１１とフィルム貼着ステーション１２で往復摺動させ、電子機器とシートを合わせることに用いられ、フィルム分離手段５は、フィルム貼着ステーション１２の一端に設けられ、離型層とシートを分離することに用いられる。フィルム貼着操作は以下のとおりである。電子機器を位置決めベース２にセットし、貼着フィルムを貼着フィルム固定ベース３にセットし、そして搬送手段４を押して電子機器を位置決めステーション１１からフィルム貼着ステーション１２に搬送し、この過程において、フィルム分離手段５により離型層とシートを分離し、そして押圧することでシートを電子機器に貼り合せ、搬送手段４はさらに電子機器をフィルム貼着ステーション１２から位置決めステーション１１に搬送し、この過程において、保護層とシートが分離し、最後に、電子機器を取り出すと、フィルム貼着は完了する。操作されやすく、フィルム貼着効率が高く、貼着フィルムの位置決めが正確であり、フィルム貼着効果が良好である。
【００２５】
本実施例では、フィルム分離手段５は、搬送手段４の下方に設けられ、フィルム分離ベース５１を備え、フィルム分離ベース５１の表面の位置決めステーション１１を向く一端には、接続マークと嵌合するフック５１１が凸設され、離型層とシートはフック５１１の作用により離脱し、フィルム分離ベース５１には離型層サイズに合わせる収容室５１２が開けられ、このように、離脱した離型層を簡便に収納することができる。好ましくは、基台１は、フィルム貼着ステーション１２の一端には、フィルム分離ベース５１が基台１に出入りする排出チャンネル１３が開けられ、このように、収容室５１２内に収納された離型層を簡便に取り出すことができる。排出チャンネル１３の両側のそれぞれには、複数のガイドローラ１３１が嵌設され、フィルム分離ベース５１は、ガイドローラ１３１と滑り嵌めし、フィルム分離ベース５１の位置決めステーション１１を向く一端には、フィルム分離ベース５１の端部に固定されたボールヘッド５２１と基台１に設けられボールヘッド５２１と嵌合するスナップ５２２を含む、フィルム分離ベース５１を排出チャンネル１３に対して固定又は退避させるためのバックルユニット５２が接続され、それにより、離型層とシートを順調に分離でき、また離型層を簡便に取り出すこともでき、簡便に操作できる。さらに好ましくは、ガイドローラ１３１の表面にはＵ字形溝１３１１が開けられ、フィルム分離ベース５１の両側にはＵ字形構造のリブ５１３が設けられ、それにより、フィルム分離ベース５１はよりスムーズにスライドできる。
【００２６】
具体的には、フィルム貼着装置は、電子機器の表面の埃を除去する除塵ローラ６をさらに備え、除塵ローラ６は、位置決めステーション１１とフィルム貼着ステーション１２との接合部位に架設され、フィルムを貼着するに先立って電子機器へのフィルム貼着部位での埃を除去し、基台１と嵌合する部位には、除塵ローラ６を上下に弾性的に調整する第１の弾性部品６１が設けられ、それにより、除塵ローラ６が各種サイズのタイプの電子機器に適用することを可能とし、且つ電子機器の表面に対する除塵ローラ６の摩擦力を増大し、除塵効果を向上させる。好ましくは、除塵ローラ６の上方には、その上下部に当接して嵌合する副除塵ローラ７が架設され、副除塵ローラ７の表面粘度が除塵ローラ６の表面粘度よりも大きく、それにより、除塵ローラ６の表面に吸着させた埃が副除塵ローラ７の表面に移され、除塵ローラ６の除塵効果がさらに高まり、使用寿命が長くなる。除塵ローラ６と副除塵ローラ７の外周にはカバー８が覆設され、副除塵ローラ７とカバー８との嵌合部位にはバネが設けられ、それにより、副除塵ローラ７と除塵ローラ６がよりよく嵌合できる。
【００２７】
図３に示すように、貼着フィルム固定ベース３は、基台１に架設された位置決めフレーム３１を備え、位置決めフレーム３１の中央部にはプロセススロット３１１が貫通して設けられ、位置決めフレーム３１には、貼着フィルムをプロセススロット３１１の上方に固定するためのボス３１２が対称的に設けられ、それにより、フィルム貼着と電子機器のフィルム貼着位置とをより正確に合わせる。好ましくは、位置決めフレーム３１には、保護層とシートを分離するシート分離装置９がさらに設けられ、位置決めフレーム３１にはシュート３１３が開けられ、シート分離装置９は、シュート３１３に嵌設されたプーリー群９１と、保護層に当接するシート分離ブレード９２と、シート分離ブレード９２に接続された押しレバー９３とを含み、使用する際に手動で押しレバー９３を制御してシート分離ブレード９２が保護層の表面を通過するようにし、それにより、シートと電子機器との接続をより強固にし、また保護層とシートとの分離を簡便にする。
【００２８】
さらに、搬送手段４は、基台１の内側に設けられ、位置決めステーション１１とフィルム貼着ステーション１２を連通させるガイドレール４１を備え、ガイドレール４１には、位置決めベース２に接続されたスライダベース４２がスライド可能に設けられ、それにより、搬送手段４の作動をより安定的かつ精度よくする。具体的には、ガイドレール４１は「Ｖ」字型構造をしており、それぞれ基台１の両側に配置され、スライダベース４２の両側のそれぞれには、取り付け溝４２１が開けられ、取り付け溝４２１内には、ガイドレール４１と滑り嵌めする軸受けが嵌設され、それにより、搬送手段４の嵌合精度が高くなり、フィルム貼着効果がより良好である。好ましくは、取り付け溝４２１は、軸受けが抜けないように、軸受けの両端のそれぞれにはファスナー４２１１が設けられ、それにより、構造がより安定的になる。
【００２９】
本実施例では、スライダベース４２は位置決めベース２と一体に成形され、位置決めベース２には、電子機器を収納するための位置決めキャビティ２１が凹設され、位置決めキャビティ２１のフィルム貼着ステーション１２から離れた一端には、様々なタイプの電子機器を固定するためにストッパー２２がスライド可能に設けられ、このため、汎用性が高く、且つ簡便に取り扱うことができる。スライダベース４２と位置決めベース２は取り外し可能に接続されてもよく、この場合、異なる位置決めベース２を交換することで、様々なタイプの電子機器に適用できる。具体的には、ストッパー２２は、止めアーム２２１と、止めアーム２２１に接続され、位置決めベース２と滑り嵌めするストッパーベース２２２と、ストッパーベース２２２と位置決めベース２を接続して、止めアーム２２１を弾性的に復位させる第２の弾性部品２２３とを含み、ストッパーベース２２２の両側にはローラ２２２１が設けられ、位置決めベース２では、ローラ２２２１と嵌合する部位には置決め溝２３が開けられる。好ましくは、止めアーム２２１には、移動しやすい引きハンドル２２１１が接続され、位置決めキャビティ２１の引きハンドル２２１１から離れた一端にはプロセス凹部２１１が設けられ、それにより、ケース部分の位置に凸起がある電子機器に適用できる。
【００３０】
さらに、位置決めベース２のフィルム貼着ステーション１２から離れた一端には押しハンドル２４が接続され、それにより、より簡便に操作でき、搬送手段４を位置決めステーション１１とフィルム貼着ステーション１２で往復摺動させるという制御を容易に実施できる。好ましくは、位置決めベース２が抜けないように、基台１の位置決めステーション１１を向く一側の端部には、スライダベース４２と嵌合する止めブロック１４が設けられる。
【００３１】
以上の具体的な構造は、本発明の好適な実施例を具体的に説明したが、本発明の実施形態及び特許範囲はそれにより制限されるわけではなく、当業者であれば、本発明の精神を逸脱することなくさまざまな等同な変形や置換を行うことができ、これら等同な変形や置換はすべて本願の特許請求の範囲により限定される範囲に含まれるものとする。
【図１】
2021529993.tif 000003
【図２】
2021529993.tif 000004
【図３】
2021529993.tif 000005
【図４】
2021529993.tif 000006
【図５】
2021529993.tif 000007
【国際調査報告】
2021529993.tif 000008
2021529993.tif 000009
2021529993.tif 000010
2021529993.tif 000011